(57)【特許請求の範囲】
【請求項１】
ネットワークを介してコンピュータと通信し、該コンピュータの指示でファクシミリ通信を行なうファクシミリ装置であって、親展受信したときに親展処理すべきコンピュータへ通知する通知手段と、該コンピュータからの要求を受け付ける受付手段と、該受付手段が受け付けた要求に応じて親展受信の内容を暗号化して送信する送信手段とを備えることを特徴とするファクシミリ装置。
【請求項２】
ネットワークを介してコンピュータと通信し、該コンピュータの指示でファクシミリ通信を行なうファクシミリ装置であって、親展受信したときに親展処理すべきコンピュータへ通知する通知手段と、該コンピュータからの要求を受け付ける受付手段と、該受付手段が受け付けた要求に応じて親展受信の内容を暗号化し電子メールとして送信する手段とを備えることを特徴とするファクシミリ装置。
【請求項３】
前記通知手段は、暗号化して前記コンピュータへ通知し、前記受付手段は、前記要求を復号して受け付けるべくなしてある請求項１又は２記載のファクシミリ装置。
【請求項４】
前記親展処理すべきコンピュータと通信する内容の内、暗号化する部分を選択する手段を更に備え、該手段の選択に従って暗号化すべくなしてある請求項１乃至３の何れか１つに記載のファクシミリ装置。
【請求項５】
前記暗号化は、自身及び通信相手の各固有情報に基づく暗号鍵により行うべくなしてある請求項１乃至４の何れか１つに記載のファクシミリ装置。
【請求項６】
前記復号は、自身及び通信相手の各固有情報に基づく暗号鍵により行うべくなしてある請求項３乃至５の何れか１つに記載のファクシミリ装置。
【発明の詳細な説明】
【０００１】
【発明の属する技術分野】
本発明は、電話回線網を介して通常のファクシミリ通信を行なう機能を有することは勿論のこと、コンピュータネットワーク経由で他のコンピュータに接続されるファクシミリ装置に関するものである。
【０００２】
【従来の技術】
近年、ＬＡＮ（Ｌｏｃａｌ  Ａｒｅａ  Ｎｅｔｗｏｒｋ）等のコンピュータネットワークに接続することが可能であって、同様にコンピュータネットワークに接続されている他のコンピュータのファクシミリサーバとして機能するファクシミリ装置が開発されている。これは、一般の電話回線網を介しての通常のファクシミリ送受信機能に加えて、コンピュータネットワークに接続された他のコンピュータからの指示で原稿をファクシミリ送信し、またファクシミリ受信した情報をコンピュータネットワーク経由で他のコンピュータへ配信することが可能なファクシミリ装置である。
【０００３】
従来、ファクシミリ装置はそれを利用するユーザの日常の活動領域内、例えばユーザが仕事をしているオフィス内等に設置されることが多かった。その理由は、原稿を送信する際には直接ファクシミリ装置に原稿をセットする必要があり、また着信があった際には可及的速やかにそれを認識する必要があったからである。しかし、前述のようなコンピュータネットワークに接続されたファクシミリ装置では、ユーザの手許にあるコンピュータで送信の指示を与えることが可能であり、また着信した場合にもユーザの手許のコンピュータへ送信されるため、ユーザの日常の活動領域内に設置される必要は必ずしもない。
【０００４】
ところで、従来のファクシミリ装置では、受信した情報を一旦記憶しておき、親展受信を知らせるリストを印字し、予め定めてあるパスコードが入力されたときに、記憶しておいた情報を印字する親展受信機能を備えている。上述したファクシミリサーバとして機能するファクシミリ装置においても、受信し一旦記憶した情報の宛先コンピュータへメールにより通知し、そのメールを見たユーザがコンピュータから、その記憶しておいた情報を印字させるように、また、自分のメールボックスへ送信させるように、それぞれ指示することが出来る親展受信機能を備えたものが考えられている。ユーザは、また、自動的にメールで送信するように、親展受信がある都度送信するように、何通か溜まったときに送信するように、指定時刻になったときに送信するように、それぞれ設定しておくことが可能である。
【０００５】
【発明が解決しようとする課題】
一般の電話回線網を介しての通常のファクシミリ通信では、通信の秘密が維持されているが、ＬＡＮ等のコンピュータネットワークでは、通信の秘密は保証されておらず、親展受信した情報でも、コンピュータネットワークを通じて宛先コンピュータへ送信している間に、第三者に盗まれる虞があり、また、宛先コンピュータと送受信する通信文に含まれる秘密にしておきたい情報が盗まれる虞もある。
【０００６】
本発明は、以上のような事情に鑑みてなされたものであり、ファクシミリ通信により親展受信した情報をその宛先コンピュータへ送信する際に、秘密を維持することが出来るファクシミリ装置を提供することを目的とする。
【０００７】
【課題を解決するための手段】
第１発明に係るファクシミリ装置は、ネットワークを介してコンピュータと通信し、該コンピュータの指示でファクシミリ通信を行なうファクシミリ装置であって、親展受信したときに親展処理すべきコンピュータへ通知する通知手段と、該コンピュータからの要求を受け付ける受付手段と、該受付手段が受け付けた要求に応じて親展受信の内容を暗号化して送信する送信手段とを備えることを特徴とする。
【０００８】
このファクシミリ装置では、ネットワークを介してコンピュータと通信し、コンピュータの指示でファクシミリ通信を行なう。通知手段が、親展受信したときに親展処理すべきコンピュータへ通知し、送信手段は、親展処理すべきコンピュータからの要求に応じて、親展受信の内容を暗号化して送信する。
これにより、ファクシミリ通信により親展受信した情報をその宛先コンピュータへ送信する際に、秘密を維持することが出来るファクシミリ通信を実現することが出来る。
【０００９】
第２発明に係るファクシミリ装置は、ネットワークを介してコンピュータと通信し、該コンピュータの指示でファクシミリ通信を行なうファクシミリ装置であって、親展受信したときに親展処理すべきコンピュータへ通知する通知手段と、該コンピュータからの要求を受け付ける受付手段と、該受付手段が受け付けた要求に応じて親展受信の内容を暗号化し電子メールとして送信する手段とを備えることを特徴とする。
【００１０】
このファクシミリ装置では、ネットワークを介してコンピュータと通信し、コンピュータの指示でファクシミリ通信を行なう。通知手段が、親展受信したときに親展処理すべきコンピュータへ通知し、受付手段が、コンピュータからの要求を受け付ける。送信する手段は、コンピュータからの要求に応じて親展受信の内容を暗号化して電子メールとして送信する。
これにより、ファクシミリ通信により親展受信した情報をその宛先コンピュータへ送信する際に、秘密を維持することが出来るファクシミリ通信を実現することが出来る。
【００１１】
第３発明に係るファクシミリ装置は、前記通知手段は、暗号化して前記コンピュータへ通知し、前記受付手段は、前記要求を復号して受け付けるべくなしてあることを特徴とする。
第４発明に係るファクシミリ装置は、前記親展処理すべきコンピュータと通信する内容の内、暗号化する部分を選択する手段を更に備え、該手段の選択に従って暗号化すべくなしてあることを特徴とする。
第５発明に係るファクシミリ装置は、前記暗号化は、自身及び通信相手の各固有情報に基づく暗号鍵により行うべくなしてあることを特徴とする。
第６発明に係るファクシミリ装置は、前記復号は、自身及び通信相手の各固有情報に基づく暗号鍵により行うべくなしてあることを特徴とする。
【００１２】
第３発明に係るファクシミリ装置では、通知手段が、暗号化してコンピュータへ通知し、受付手段が、コンピュータからの要求を復号して受け付ける。
第４発明に係るファクシミリ装置では、選択する手段が、親展処理すべきコンピュータと通信する内容の内、暗号化する部分を選択し、その選択に従って暗号化するように構成してあるので、コンピュータネットワークの秘密保証の程度及び親展受信するであろう情報の内容に応じて、秘密保持の程度を定めることが出来る。
第５発明に係るファクシミリ装置では、暗号化は、自身及び通信相手の各固有情報に基づく暗号鍵により行うので、暗号通信する際の予備的な相互通信が不要であり、手間を省くことが出来る。
第６発明に係るファクシミリ装置では、復号は、自身及び通信相手の各固有情報に基づく暗号鍵により行うので、暗号通信する際の予備的な相互通信が不要であり、手間を省くことが出来る。
【００１３】
【発明の実施の形態】
以下に、本発明をその実施の形態を示す図面に基づいて説明する。
実施の形態１．
図１は、本発明に係るファクシミリ装置の実施の形態１のコンピュータネットワークへの接続形態を示す模式図である。本発明に係るファクシミリ装置であるファクシミリサーバ１は、コンピュータネットワークであるＬＡＮ５（Ｌｏｃａｌ  Ａｒｅａ  Ｎｅｔｗｏｒｋ）に接続されている。ＬＡＮ５には、他のコンピュータであるクライアントコンピュータ４が接続されている。
ＬＡＮ５においては、バイナリファイル転送（ＢＦＴ）する為のＳａｌｕｔａｔｉｏｎプロトコルにより、ファクシミリサーバ１の画データはバイナリデータに変換されて送受信される。
【００１４】
ファクシミリサーバ１は、アナログの公衆電話回線網（ＰＳＴＮ）３にも接続されており、ＬＡＮ５により接続されたコンピュータネットワークにおけるクライアントコンピュータ４のサーバコンピュータとして機能する。具体的にはファクシミリサーバ１は、クライアントコンピュータ４からの要求に応じてファクシミリメッセージ（画データ）をＰＳＴＮ３へ送信する機能、及びＰＳＴＮ３から受信したファクシミリメッセージをクライアントコンピュータ４へ配信する機能等を少なくとも備えている。
ファクシミリサーバ１は、ＰＳＴＮ３においては、勧告Ｔ．３０（一般交換電話網における文書ファクシミリ伝送のための手順）に従って作動する。
【００１５】
なお、本発明における電話回線網としては、一般の公衆電話回線網に限定するものではなく、例えば専用電話回線網であってもよい。
また、ＰＳＴＮ３にはそれぞれ電話番号が付与された多数のファクシミリ装置（図１では参照符号２にて一台のみ示されている）が接続されていることは言うまでもない。
なお、図１には１台のクライアントコンピュータ４が示されているが、最低限１台がＬＡＮ５に接続されていればよい。但し、実際にはより多数のクライアントコンピュータがＬＡＮ５に接続されている場合が多い。
【００１６】
図２は、本発明に係るファクシミリ装置であるファクシミリサーバ１の実施の形態１の構成を示すブロック図である。このファクシミリサーバ１は、ＣＰＵ１０と、このＣＰＵ１０にバスを介して接続されたＰＲＯＭ１１，ＲＡＭ１２，モデム１３ａ，ＮＣＵ１３ｂ，操作パネル１４，ディスプレイ１５，スキャナ１６，プリンタ１７，ＬＡＮＩ／Ｆ１８等で構成されている。
【００１７】
ＰＲＯＭ１１は、ＣＰＵ１０が実行する種々のコンピュータプログラムを記憶しており、ＣＰＵ１０はこのＰＲＯＭ１１に記憶されているコンピュータプログラムに基づいてファクシミリサーバ１の動作に必要な種々の処理を実行する。
【００１８】
ＲＡＭ１２は、ＤＲＡＭ，ＳＲＡＭ，フラッシュメモリ等で構成されており、ＣＰＵ１０によるコンピュータプログラムの実行時に発生する一時的なデータを記憶するほか、画像メモリとしても機能する。
ＲＡＭ１２は、また、ファクシミリサーバ１及び通信相手の各固有情報に基づき作成された暗号鍵により暗号化／復号する、例えば後述するＩＤ−ＮＩＫＳ（ＩＤ−ｂａｓｅｄ  Ｎｏｎ−Ｉｎｔｅｒａｃｔｉｖｅ  Ｋｅｙ  Ｓｈａｒｉｎｇ  Ｓｃｈｅｍｅ）による通信に必要な、ファクシミリサーバ１のアドレス（固有情報）、センタから配付され入力された秘密情報及びセンタ公開情報を記憶する。
【００１９】
モデム１３ａは、ファクシミリ通信が可能なファックスモデムで構成されている。また、モデム１３ａは、バスに接続されたＮＣＵ（Ｎｅｔｗｏｒｋ  Ｃｏｎｔｒｏｌ  Ｕｎｉｔ）１３ｂと直接的に接続されている。ＮＣＵ１３ｂは、ＰＳＴＮ３との回線の閉結及び開放の動作を行なうハードウェアであり、必要に応じてモデム１３ａをＰＳＴＮ３と接続する。なお、ＩＳＤＮインタフェースを備えることにより、デジタルの公衆電話回線網（ＩＳＤＮ）に接続するように構成してもよいことは言うまでもない。
【００２０】
操作パネル１４は、ユーザがファクシミリサーバ１を直接操作するために必要な文字キー，テンキー，短縮ダイヤルキー，ワンタッチダイヤルキー、及び会話予約キー等の機能キーを含む各種キーを備えている。
ディスプレイ１５は、液晶表示装置（ＬＣＤ）で構成されており、操作パネル１４からの入力結果及びＣＰＵ１０の動作状態等を表示する。尚、ディスプレイ１５としては、ＣＲＴディスプレイ等であってもよく、また、タッチパネル方式の表示装置で構成することにより、上述した操作パネル１４の一部又は全部と共用にすることも可能である。
【００２１】
スキャナ１６は、カラーＣＣＤ等を利用して原稿の内容を画像として読み取り、白黒２値又はカラーに変換したドットイメージデータ（画データ）を出力する。このスキャナ１６から出力された画データは一旦ＲＡＭ１２に記憶された後、ファクシミリデータに変換されてモデム１３ａを介してＰＳＴＮ３へ、またはＬＡＮＩ／Ｆ１８を介してＬＡＮ５へ出力される。
【００２２】
プリンタ１７は、電子写真方式等のプリンタ装置で構成されており、スキャナ１６からの読み取り内容、ファクシミリ受信したイメージデータ（画データ）、及びＣＰＵ１０が出力する各種のメッセージ等を印字出力する。
ＬＡＮＩ／Ｆ１８は、ファクシミリサーバ１をＬＡＮ５と接続するためのインタフェースである。
【００２３】
本発明に係るファクシミリ装置の実施の形態１としてのファクシミリサーバ１は基本的には以上の如きハードウェア構成を有しており、通常のファクシミリサーバとしての機能を有しているが、その他に親展受信したときに、例えばＩＤ−ＮＩＫＳによる暗号化／復号によりクライアントコンピュータ４と通信する。
【００２４】
ＩＤ−ＮＩＫＳは、各エンティティ（実体；人、コンピュータ、ファクシミリサーバ等）の住所，氏名、名称等の個体を特定するＩＤ（Ｉｄｅｎｔｉｔｙ）情報を利用する暗号系である。この暗号系では、ＩＤ情報に基づいて送受信者間で共通の暗号化鍵を生成するが、予備通信が不要であるので、利便性が高い。
ＩＤ−ＮＩＫＳは、通信相手のＩＤ情報を用いて予備通信を行うことなく暗号化鍵を共有する方式であり、送受信者間で公開鍵，秘密鍵を交換する必要がなく、また鍵のリスト及び第三者によるサービスも必要としない方式であり、任意のエンティティ間で安全に通信を行うことが出来る。
【００２５】
図３は、このＩＤ−ＮＩＫＳのシステムの原理を説明する為の説明図である。信頼できるセンタの存在を仮定し、このセンタを中心にして共通鍵生成システムを構成している。エンティティＸの名前、住所、電話番号等のＩＤ情報は、ハッシュ関数ｈ（・）を用いてｈ（ＩＤＸ  ）で表す。センタは任意のエンティティＸに対して、センタ公開情報｛ＰＣｉ  ｝、センタ秘密情報｛ＳＣｉ  ｝及びエンティティＸのＩＤ情報ｈ（ＩＤＸ  ）に基づいて、以下のように秘密情報ＳＸｉを計算し、秘密裏にエンティティＸへ配布する。
ＳＸｉ＝Ｆｉ  （｛ＳＣｉ  ｝，｛ＰＣｉ  ｝，ｈ（ＩＤＸ  ））
【００２６】
エンティティＸは他の任意のエンティティＹとの間で、暗号化、復号のための共有鍵ＫＸＹを、エンティティＸ自身の秘密情報｛ＳＸｉ｝、センタ公開情報｛ＰＣｉ  ｝及び相手先のエンティティＹのＩＤ情報ｈ（ＩＤＹ  ）を用いて以下のように生成する。
ＫＸＹ＝ｆ（｛ＳＸｉ｝，｛ＰＣｉ  ｝，ｈ（ＩＤＹ  ））
また、エンティティＹも同様にエンティティＸへの鍵を共通鍵ＫＹＸとして生成する。もし常にＫＸＹ＝ＫＹＸの関係が成立すれば、この鍵ＫＸＹ，ＫＹＸをエンティティＸ，Ｙ間で暗号化鍵、復号鍵として使用できる。
【００２７】
公開鍵暗号系では、例えばＲＳＡ暗号系の場合にその公開鍵の長さは現在の電話番号の十数倍となり、極めて煩雑である。これに対して、ＩＤ−ＮＩＫＳでは、各ＩＤ情報を名簿という形式で登録しておけば、この名簿を参照して任意のエンティティとの間で共通鍵を生成することができる。
【００２８】
ファクシミリサーバ１及びクライアントコンピュータ４は、予め、センタにおいて、センタ公開情報｛ＰＣｉ  ｝、センタ秘密情報｛ＳＣｉ  ｝及びそれぞれのＬＡＮ５におけるアドレスであるＩＤ情報ｈ（ＩＤＸ  ）に基づいて、それぞれ秘密情報ＳＸｉが計算され、秘密裏に配布され、記憶している。
ファクシミリサーバ１及びクライアントコンピュータ４は、ＬＡＮ５における通信において、その通信相手との間で、暗号化，復号のための共通鍵ＫＸＹを、自身の秘密情報｛ＳＸｉ｝、センタ公開情報｛ＰＣｉ  ｝及び相手先のＩＤ情報ｈ（ＩＤＹ  ）を用いて以下のように生成する。
ＫＸＹ＝ｆ（｛ＳＸｉ｝，｛ＰＣｉ  ｝，ｈ（ＩＤＹ  ））
【００２９】
以下に、このような構成のファクシミリサーバ１の動作を、それを示すフローチャートを参照しながら説明する。
図４は、ファクシミリサーバ１が親展受信したときの動作を示すフローチャートであり、図５は、そのときのクライアントコンピュータ４の動作を示すフローチャートである。
ファクシミリサーバ１は、ファクシミリ装置２からＰＳＴＮ経由で親展受信すると（図４Ｓ２）、自身の秘密情報、センタ公開情報、及びその親展受信の宛先である親展処理すべきクライアントコンピュータ４のＬＡＮ５におけるアドレスを用いて、暗号化、復号のための共通鍵を作成する（Ｓ４）。
【００３０】
次に、ファクシミリサーバ１は、クライアントコンピュータ４へ親展受信したことを通知する為の通知文を、作成した共通鍵（Ｓ４）により暗号化し（Ｓ５）、暗号化した通知文をＬＡＮ５経由でクライアントコンピュータ４へ送信する（Ｓ６）。
【００３１】
クライアントコンピュータ４は、ＬＡＮ５経由でファクシミリサーバ１から受信すると（図５Ｓ２０）、自身の秘密情報、センタ公開情報、及びその受信した情報の送信元であるファクシミリサーバ１のＬＡＮ５におけるアドレスを用いて、暗号化、復号のための共通鍵を作成する（Ｓ２２）。
次に、クライアントコンピュータ４は、受信した情報（Ｓ２０）を、作成した共通鍵（Ｓ２２）により復号して表示する（Ｓ２４）。
【００３２】
クライアントコンピュータ４は、受信した情報（Ｓ２０）を復号して表示している（Ｓ２４）状態で、ユーザによりその応答内容が入力されると（Ｓ２６）、その応答内容を、作成した共通鍵（Ｓ２２）により暗号化し（Ｓ２８）、暗号化した応答内容をＬＡＮ５経由でファクシミリサーバ１へ送信する（Ｓ３０）。
クライアントコンピュータ４は、受信した情報（Ｓ２０）を復号して表示している（Ｓ２４）状態で、ユーザによりその応答内容が入力されないままに（Ｓ２６）、所定時間が経過したときは（Ｓ３８）リターンする。
【００３３】
ファクシミリサーバ１は、ＬＡＮ５経由でクライアントコンピュータ４から応答内容を受信すると（図４Ｓ８）、作成した共通鍵（Ｓ４）により、その応答内容を復号する（Ｓ１０）。
ファクシミリサーバ１は、復号した応答内容（Ｓ１０）が、親展受信した画データ（Ｓ２）の配信要求であれば（Ｓ１２）、テキストデータ部分のみを暗号化するように設定されている場合は（Ｓ１４）、親展受信した画データ（Ｓ２）に付属する送信元名称及び送信時刻等のテキストデータのみを暗号化し（Ｓ１９）、画データと共にクライアントコンピュータ４へ送信し（Ｓ１７）リターンする。
ファクシミリサーバ１は、ＬＡＮ５経由でクライアントコンピュータ４から応答内容を受信しない状態で（Ｓ８）、所定時間が経過したときは（Ｓ１８）リターンする。
【００３４】
ファクシミリサーバ１は、暗号化する部分が特に設定されていない場合は（Ｓ１４）、親展受信した画データ（Ｓ２）及びそれに付属する送信元名称及び送信時刻等のテキストデータを、作成した共通鍵（Ｓ４）により暗号化して（Ｓ１６）クライアントコンピュータ４へ送信し（Ｓ１７）リターンする。
ファクシミリサーバ１は、復号した応答内容（Ｓ１０）が、親展受信した画データ（Ｓ２）の配信要求でなければ（Ｓ１２）リターンする。
【００３５】
クライアントコンピュータ４は、ＬＡＮ５経由でファクシミリサーバ１へ送信した応答内容（図５Ｓ３０）が、親展受信した画データ（図４Ｓ２）の配信要求でなければ（図５Ｓ３２）リターンし、配信要求であれば（Ｓ３２）、ファクシミリサーバ１から受信するように待機する（Ｓ３３）。
【００３６】
クライアントコンピュータ４は、ファクシミリサーバ１から受信したとき（Ｓ３３）、受信データが暗号化されているときは（Ｓ３４）、作成した共通鍵（Ｓ２２）により、その受信データを復号し画像に変換して表示し（Ｓ３５）リターンする。受信データが暗号化されていないときは（Ｓ３４）、その受信データをそのまま画像に変換して表示し（Ｓ３６）リターンする。
尚、クライアントコンピュータ４から配信要求するときに、パスコードも入力して送信し、ファクシミリサーバ１側でそのパスコードの正誤を判定し、正しいと判定したときに、画データを送信するようにしても良い。
【００３７】
実施の形態２．
図６は、本発明に係るファクシミリ装置の実施の形態２のコンピュータネットワークへの接続形態を示す模式図である。本発明に係るファクシミリ装置であるファクシミリサーバ１は、コンピュータネットワークであるＬＡＮ５（Ｌｏｃａｌ  Ａｒｅａ  Ｎｅｔｗｏｒｋ）に接続されている。ＬＡＮ５には、他のコンピュータであるクライアントコンピュータ４、及びＬＡＮ５内で送受信される電子メールを仲介する為のメールサーバ６が接続されている。
ＬＡＮ５においては、電子メールを送受信する為のＳＭＴＰ（Ｓｉｍｐｌｅ  Ｍａｉｌ  Ｔｒａｎｓｈｅｒ  Ｐｒｏｔｏｃｏｌ  ）及びＰＯＰ３（Ｐｏｓｔ  Ｏｆｆｉｃｅ  Ｐｒｏｔｏｃｏｌ  ｖｅｒ．３）により、ファクシミリサーバ１の画データは電子メールの添付ファイルとして送受信される。
【００３８】
ファクシミリサーバ１は、アナログの公衆電話回線網（ＰＳＴＮ）３にも接続されており、ＬＡＮ５により接続されたコンピュータネットワークにおけるクライアントコンピュータ４のサーバコンピュータとして機能する。具体的にはファクシミリサーバ１は、クライアントコンピュータ４からの電子メールによる要求に応じてファクシミリメッセージ（画データ）をＰＳＴＮ３へ送信する機能、及びＰＳＴＮ３から受信したファクシミリメッセージを電子メールによりクライアントコンピュータ４へ配信する機能等を少なくとも備えている。
ファクシミリサーバ１は、ＰＳＴＮ３においては、勧告Ｔ．３０（一般交換電話網における文書ファクシミリ伝送のための手順）に従って作動する。
【００３９】
なお、本発明における電話回線網としては、一般の公衆電話回線網に限定するものではなく、例えば専用電話回線網であってもよい。
また、ＰＳＴＮ３にはそれぞれ電話番号が付与された多数のファクシミリ装置（図６では参照符号２にて一台のみ示されている）が接続されていることは言うまでもない。
なお、図６には１台のクライアントコンピュータ４が示されているが、最低限１台がＬＡＮ５に接続されていればよい。但し、実際にはより多数のクライアントコンピュータがＬＡＮ５に接続されている場合が多い。
本発明に係るファクシミリ装置であるファクシミリサーバ１の実施の形態２の構成は、上述した図２のブロック図と同様であるので、説明を省略する。
【００４０】
本発明に係るファクシミリ装置の実施の形態２としてのファクシミリサーバ１は、通常のファクシミリサーバとしての機能を有しているが、その他に親展受信したときに、例えばＩＤ−ＮＩＫＳによる暗号化／復号によりクライアントコンピュータ４と通信する。ＩＤ−ＮＩＫＳについては、上述した（図３）ので説明を省略する。
【００４１】
ファクシミリサーバ１及びクライアントコンピュータ４は、予め、センタにおいて、センタ公開情報｛ＰＣｉ  ｝、センタ秘密情報｛ＳＣｉ  ｝及びそれぞれのＬＡＮ５におけるアドレスであるＩＤ情報ｈ（ＩＤＸ  ）に基づいて、それぞれ秘密情報ＳＸｉが計算され、秘密裏に配布され、記憶している。
ファクシミリサーバ１及びクライアントコンピュータ４は、ＬＡＮ５における通信において、その通信相手との間で、暗号化，復号のための共通鍵ＫＸＹを、自身の秘密情報｛ＳＸｉ｝、センタ公開情報｛ＰＣｉ  ｝及び相手先のＩＤ情報ｈ（ＩＤＹ  ）を用いて以下のように生成する。
ＫＸＹ＝ｆ（｛ＳＸｉ｝，｛ＰＣｉ  ｝，ｈ（ＩＤＹ  ））
【００４２】
以下に、このような構成のファクシミリサーバ１の動作を、それを示すフローチャートを参照しながら説明する。
図７は、ファクシミリサーバ１が親展受信したときの動作を示すフローチャートであり、図８は、そのときのクライアントコンピュータ４の動作を示すフローチャートである。
ファクシミリサーバ１は、ファクシミリ装置２からＰＳＴＮ経由で親展受信すると（図７Ｓ４０）、自身の秘密情報、センタ公開情報、及びその親展受信の宛先であるクライアントコンピュータ４のＬＡＮ５におけるアドレスを用いて、暗号化、復号のための共通鍵を作成する（Ｓ４２）。
【００４３】
次に、ファクシミリサーバ１は、クライアントコンピュータ４へ親展受信したことを通知する為の通知文を、作成した共通鍵（Ｓ４２）により暗号化し（Ｓ４４）、暗号化した通知文を電子メールとしてＬＡＮ５経由でクライアントコンピュータ４へ送信し（Ｓ４５）リターンする。
送信された電子メール（Ｓ４５）は、メールサーバ６内のクライアントコンピュータ４のメールボックスに一旦記憶される。
【００４４】
クライアントコンピュータ４は、メールチェックの指示が入力されると（図８Ｓ６０）、メールサーバ６のメールボックスにファクシミリサーバ１からの電子メールが記憶されていないかメールチェックを行い（Ｓ６２）、ファクシミリサーバ１からの電子メールが記憶されていなければ（Ｓ６４）リターンする。
【００４５】
クライアントコンピュータ４は、メールチェックを行い（Ｓ６２）、ファクシミリサーバ１からの電子メールが記憶されており配信されて来たときは（Ｓ６４）、ファクシミリサーバ１のＬＡＮ５におけるアドレスを用いて、暗号化、復号のための共通鍵を作成する（Ｓ６６）。
次に、クライアントコンピュータ４は、受信した電子メール（Ｓ６４）を、作成した共通鍵（Ｓ６６）により復号して表示する（Ｓ６８）。
クライアントコンピュータ４は、復号して表示した電子メール（Ｓ６８）が親展受信の通知でないときは（Ｓ７０）リターンする。
【００４６】
クライアントコンピュータ４は、受信した電子メール（Ｓ６４）を復号して表示している（Ｓ６８）状態で、ユーザによりその応答内容が入力されると（Ｓ７２）、その応答内容を、作成した共通鍵（Ｓ６６）により暗号化し（Ｓ７４）、暗号化した応答内容を電子メールとしてＬＡＮ５経由でファクシミリサーバ１へ送信し（Ｓ７６）リターンする。
送信された（Ｓ７６）電子メールは、メールサーバ６内のファクシミリサーバ１のメールボックスに一旦記憶される。
クライアントコンピュータ４は、受信した電子メール（Ｓ６４）を復号して表示している（Ｓ６８）状態で、ユーザによりその応答内容が入力されないままに（Ｓ７２）、所定時間が経過したときは（Ｓ８４）リターンする。
【００４７】
ファクシミリサーバ１は、周期的に実行するメールサーバ６へのメールチェックにより、４クライアントコンピュータ４から電子メールを受信すると（図７Ｓ４６）、自身の秘密情報、センタ公開情報、及びその電子メールの送信元であるクライアントコンピュータ４のＬＡＮ５におけるアドレスを用いて、暗号化、復号のための共通鍵を作成する（Ｓ４８）。
次に、ファクシミリサーバ１は、作成した共通鍵（Ｓ４８）により、受信した電子メール（Ｓ４６）を復号する（Ｓ５０）。
【００４８】
ファクシミリサーバ１は、復号した電子メールの応答内容（Ｓ５０）が、親展受信した画データ（Ｓ４０）の配信要求であれば（Ｓ５２）、親展受信した画データ（Ｓ４０）を、作成した共通鍵（Ｓ４８）により暗号化し（Ｓ５４）、電子メールの添付ファイルとしてクライアントコンピュータ４へ配信する（Ｓ５６）。
配信された（Ｓ５６）電子メールは、メールサーバ６内のクライアントコンピュータ４のメールボックスに一旦記憶される。
ファクシミリサーバ１は、復号した電子メールの応答内容（Ｓ５０）が、親展受信した画データ（Ｓ４０）の配信要求でなければ（Ｓ５２）リターンする。
【００４９】
クライアントコンピュータ４は、メールチェックの指示が入力されると（図８Ｓ６０）、メールサーバ６のメールボックスにファクシミリサーバ１からの電子メールが記憶されていないかメールチェックを行い（Ｓ６２）、ファクシミリサーバ１からの電子メールが記憶されていなければ（Ｓ６４）リターンする。
【００５０】
クライアントコンピュータ４は、メールチェックを行い（Ｓ６２）、ファクシミリサーバ１からの電子メールが記憶されており配信されて来たときは（Ｓ６４）、ファクシミリサーバ１のＬＡＮ５におけるアドレスを用いて、暗号化、復号のための共通鍵を作成する（Ｓ６６）。
次に、クライアントコンピュータ４は、受信した電子メール（Ｓ６４）を、作成した共通鍵（Ｓ６６）により復号して表示し（Ｓ６８）、表示した内容が画データであれば（Ｓ７０）リターンする。
尚、クライアントコンピュータ４から配信要求するときに、パスコードも入力して送信し、ファクシミリサーバ１側でそのパスコードの正誤を判定し、正しいと判定したときに、画データを送信するようにしても良い。
【００５１】
また、上述した実施の形態２においては、ファクシミリサーバ１が親展受信し一旦記憶した情報の宛先である親展処理すべきコンピュータへ電子メールにより通知し、その電子メールを見たユーザがコンピュータから、自分のメールボックスへ送信させるように指示しているが、ファクシミリサーバ１は、親展受信し一旦記憶した情報を、自動的に電子メールで送信するように、親展受信がある都度送信するように、何通か溜まったときに送信するように、指定時刻になったときに送信するように、それぞれ設定しておくことが可能である。
【００５２】
図９は、ファクシミリサーバ１が親展受信したときに、親展受信した情報を自動的に電子メールで送信する場合の動作を示すフローチャートであり、図１０は、そのときのクライアントコンピュータ４の動作を示すフローチャートである。ファクシミリサーバ１は、ファクシミリ装置２からＰＳＴＮ経由で親展受信すると（図９Ｓ９０）、自身の秘密情報、センタ公開情報、及びその親展受信の宛先であるクライアントコンピュータ４のＬＡＮ５におけるアドレスを用いて、暗号化、復号のための共通鍵を作成する（Ｓ９２）。
【００５３】
次に、ファクシミリサーバ１は、親展受信した情報（画データ）（Ｓ９０）を、作成した共通鍵（Ｓ９２）により暗号化し（Ｓ９４）、暗号化した画データを電子メールの添付ファイルとしてＬＡＮ５経由でクライアントコンピュータ４へ配信し（Ｓ９６）リターンする。
配信された電子メール（Ｓ９６）は、メールサーバ６内のクライアントコンピュータ４のメールボックスに一旦記憶される。
【００５４】
クライアントコンピュータ４は、メールチェックの指示が入力されると（図１０Ｓ１００）、メールサーバ６のメールボックスにファクシミリサーバ１からの電子メールが記憶されていないかメールチェックを行い（Ｓ１０２）、ファクシミリサーバ１からの電子メールが記憶されていなければ（Ｓ１０４）リターンする。
【００５５】
クライアントコンピュータ４は、メールチェックを行い（Ｓ１０２）、ファクシミリサーバ１からの電子メールが記憶されており配信されて来たときは（Ｓ１０４）、ファクシミリサーバ１のＬＡＮ５におけるアドレスを用いて、暗号化、復号のための共通鍵を作成する（Ｓ１０６）。
次に、クライアントコンピュータ４は、受信した電子メール（Ｓ１０４）を、作成した共通鍵（Ｓ１０６）により復号して表示し（Ｓ１０８）リターンする。
【００５６】
【発明の効果】
以上に詳述した如く第１〜３発明に係るファクシミリ装置によれば、ファクシミリ通信により親展受信した情報をその宛先である親展処理すべきコンピュータへ送信する際に、秘密を維持することが出来るファクシミリ通信を実現することが出来る。
また、第５，６発明に係るファクシミリ装置によれば、暗号通信する際の予備的な相互通信が不要であり、手間を省くことが出来る。
【００５７】
第４発明に係るファクシミリ装置によれば、コンピュータネットワークの秘密保証の程度及び親展受信するであろう情報の内容に応じて、秘密保持の程度を定めておくことが出来る。
【図面の簡単な説明】
【図１】本発明に係るファクシミリ装置のコンピュータネットワークへの接続形態を示す模式図である。
【図２】本発明に係るファクシミリ装置としてのファクシミリサーバの構成を示すブロック図である。
【図３】ＩＤ−ＮＩＫＳのシステムの原理を説明する為の説明図である。
【図４】本発明に係るファクシミリ装置の動作を示すフローチャートである。
【図５】クライアントコンピュータの動作を示すフローチャートである。
【図６】本発明に係るファクシミリ装置のコンピュータネットワークへの接続形態を示す模式図である。
【図７】本発明に係るファクシミリ装置の動作を示すフローチャートである。
【図８】クライアントコンピュータの動作を示すフローチャートである。
【図９】本発明に係るファクシミリ装置の動作を示すフローチャートである。
【図１０】クライアントコンピュータの動作を示すフローチャートである。
【符号の説明】
１        ファクシミリサーバ（ファクシミリ装置）
２        ファクシミリ装置
３        公衆電話回線網（ＰＳＴＮ）
４        クライアントコンピュータ（コンピュータ）
５    ＬＡＮ
６    メールサーバ
１０        ＣＰＵ
１１    ＰＲＯＭ
１２    ＲＡＭ
１８    ＬＡＮＩ／Ｆ
【図１】
0003580231.tif 000002
【図２】
0003580231.tif 000003
【図３】
0003580231.tif 000004
【図４】
0003580231.tif 000005
【図５】
0003580231.tif 000006
【図６】
0003580231.tif 000007
【図７】
0003580231.tif 000008
【図８】
0003580231.tif 000009
【図９】
0003580231.tif 000010
【図１０】
0003580231.tif 000011